(57)【要約】【課題】内蓋ユニットを上から下へと操作するのみで簡単に内蓋ユニットを蓋に取付けできる便利な炊飯器を提供することを目的とする。【解決手段】内蓋ユニット４０および蓋３０の上部には、内蓋ユニット４０を蓋３０の上方より係合させる係合部５０を設け、内蓋ユニット４０および蓋３０の他部には、両者を係止する係止部５１を設け、内蓋ユニット４０は上部の係合部５０を中心に回動させて他部の係止部５１で蓋３０に取付けるようにしたものである。これによって、内蓋ユニット４０は、蓋開放姿勢にて、内蓋ユニット４０を上から下へと操作するのみで簡単に取付けができる便利な炊飯器となるものである。【選択図】図１
2008012089.tif 000002
【特許請求の範囲】
【請求項１】
鍋を収納した本体と、前記本体に回動自在に軸支された蓋と、前記蓋の下面に着脱自在に取付けられる内蓋ユニットとを有し、内蓋ユニットおよび蓋の上部には、内蓋ユニットを蓋の上方より係合させる係合部を設け、内蓋ユニットおよび蓋の他部には、両者を係止する係止部を設け、内蓋ユニットは上部の係合部を中心に回動させて他部の係止部で蓋に取付けるようにした炊飯器。
【請求項２】
内蓋ユニットおよび蓋の係合部は、内蓋ユニットと蓋のいずれか一方に設けた横軸と、この横軸に係合する他方に設けた取付け溝とから構成した請求項１に記載の炊飯器。
【請求項３】
内蓋ユニットおよび蓋の係合部は、内蓋ユニットと蓋のいずれか一方に設けた突起部と、この突起部に係合する他方に設けた穴部とから構成した請求項１に記載の炊飯器。
【発明の詳細な説明】
【技術分野】
【０００１】
本発明は、蓋下面に内蓋ユニットを着脱自在に取付けた炊飯器に関する。
【背景技術】
【０００２】
従来の炊飯器は、お手入れ性の向上のために、蓋下面に内蓋ユニットを着脱自在に取付け、炊飯により汚れた内蓋ユニットのみを外して洗浄できるようにしている。そして、内蓋ユニットの取付け構成は、蓋開放姿勢にて、内蓋ユニットの上部を蓋上部に設けられた凹部に下から差込み、その部位を中心に回動させて下部にて固定する方式（例えば、特許文献１参照）、もしくは、内蓋ユニットの下部を蓋下部に設けられた凹部に上から差込み、その部位を中心に回動させて上部にて固定する方式（例えば、特許文献２参照）などが知られている。
【特許文献１】特開２０００−１０７０２６号公報
【特許文献２】特開２００３−２０４８６９号公報
【発明の開示】
【発明が解決しようとする課題】
【０００３】
しかしながら、前記従来の構成のうち、内蓋ユニットの上部を蓋上部に設けられた凹部に下から差込むものでは、内蓋ユニットを下→上と移動させた後、さらに内蓋ユニットを支えながら下側のセットを行わねばならず取付けが煩雑である。また、内蓋ユニットの下部を蓋下部に設けられた凹部に上から差込みものでは、内蓋ユニットを下→上と重力に逆らい操作する必要があることに加え、固定のための動作時に内蓋ユニットを蓋へ押し付ける際、蓋上部を炊飯器後方へ押すために製品が後方へ傾いたり、蓋が不安定に動いたりして不便である。また、時には蓋の軸支部に大きな力が働き軸支部を破壊してしまうことがある。
【０００４】
本発明は、前記従来の課題を解決するもので、内蓋ユニットを上から下へと操作するのみで簡単に内蓋ユニットを蓋に取付けできる便利な炊飯器を提供することを目的とする。
【課題を解決するための手段】
【０００５】
前記従来の課題を解決するために、本発明の炊飯器は、内蓋ユニットおよび蓋の上部には、内蓋ユニットを蓋の上方より係合させる係合部を設け、内蓋ユニットおよび蓋の他部には、両者を係止する係止部を設け、内蓋ユニットは上部の係合部を中心に回動させて他部の係止部で蓋に取付けるようにしたものである。
【０００６】
これによって、内蓋ユニットは、蓋開放姿勢にて、内蓋ユニットを上から下へと操作するのみで簡単に取付けができる便利な炊飯器となるものである。
【発明の効果】
【０００７】
本発明の炊飯器は、内蓋ユニットを簡単に蓋に取付けができるものである。
【発明を実施するための最良の形態】
【０００８】
第１の発明は、鍋を収納した本体と、前記本体に回動自在に軸支された蓋と、前記蓋の下面に着脱自在に取付けられる内蓋ユニットとを有し、内蓋ユニットおよび蓋の上部には、内蓋ユニットを蓋の上方より係合させる係合部を設け、内蓋ユニットおよび蓋の他部には、両者を係止する係止部を設け、内蓋ユニットは上部の係合部を中心に回動させて他部の係止部で蓋に取付けるようにした炊飯器とすることにより、内蓋ユニットは、蓋開放姿勢にて、内蓋ユニットを上から下へと操作するのみで簡単に取付けができる。
【０００９】
第２の発明は、特に、第１の発明において、内蓋ユニットおよび蓋の係合部は、内蓋ユニットと蓋のいずれか一方に設けた横軸と、この横軸に係合する他方に設けた取付け溝とから構成したことにより、横軸と取付け溝の関係で内蓋ユニットを安定して蓋に係合することができ、スムーズに内蓋ユニットを回動させて蓋に取付けることができる。
【００１０】
第３の発明は、特に、第１の発明において、内蓋ユニットおよび蓋の係合部は、内蓋ユニットと蓋のいずれか一方に設けた突起部と、この突起部に係合する他方に設けた穴部とから構成したことにより、内蓋ユニットと蓋の係合ポイントが１個所のみで明瞭であり、状態を確認しつつ係合し、内蓋ユニットを確実に蓋に取付けることができる。
【００１１】
以下、本発明の実施の形態について、図面を参照しながら説明する。なお、この実施の形態によって本発明が限定されるものではない。
【００１２】
（実施の形態１）
図１〜図３は、本発明の実施の形態１における炊飯器を示している。
【００１３】
図１に示すように、本実施の形態における炊飯器は、本体１０にはステンレス、鉄などの磁性体によって形成された鍋２０を収納している。本体１０の鍋収納部の下方や側面にはＩＨコイルやヒーター（図示しない）が設置されている。本実施の形態の炊飯器では、鍋２０を誘導加熱し、鍋２０内の調理物（図示しない）を加熱調理する。調理物は、炊飯前の米と水または炊き上がったご飯などである。
【００１４】
本体１０には鍋２０の上面を覆う位置に蓋３０が回動自在に軸支されている。また、蓋３０の軸支側と反対側は、フックなどで本体１０と係脱自在となるように取付けられている。
【００１５】
蓋３０の下面には内蓋ユニット４０が着脱自在に取付けられている。この内蓋ユニット４０は、ステンレスからなる内蓋４１と、樹脂からなる内蓋支え４２と、内蓋４１と内蓋支え４２の間に挟持されている鍋パッキン４３を有している。
【００１６】
そして、内蓋ユニット４０および蓋３０の上部には、内蓋ユニット４０を蓋３０の上方より係合させる係合部５０を設け、内蓋ユニット４０および蓋３０の他部には、両者を係止する係止部５１を設け、内蓋ユニット４０は上部の係合部５０を中心に回動させて他部の係止部５１で蓋３０に取付けるようになっている。
【００１７】
内蓋ユニット４０および蓋３０の係合部５０は、内蓋ユニット４０の上部に設けた横軸４４と、蓋３０に設け横軸４４と係合する取付け溝３１とから構成した。取付け溝３１部の蓋３０には切り欠き３３を設けており、内蓋ユニット４０の上から下へと操作のみで簡単に横軸４４が取付け溝３１に係合できるようになっている。ここで、内蓋ユニット４０は係合部５０を中心に、図２の矢印に示すように、蓋３０側へ回動させることができるものである。なお、横軸４４と取付け溝３１の位置関係、すなわち内蓋ユニット４０と蓋３０のいずれに設けるかは逆であっても差し支えない。
【００１８】
また、内蓋ユニット４０および蓋３０の他部の係止部５１は、内蓋ユニット４０の下方２カ所に設けた係止つまみ４５と、蓋３０に設け係止つまみ４５と対応した固定リブ３２とから構成した。係止部５１の詳細は、図３に示すように、係止つまみ４５にはバネ４６により付勢された係合爪４７が回動自在に軸支されており、係止つまみ４５を固定リブ３２に押しつけるように操作したとき、バネ４６により押された係合爪４７が滑りつつ移動し、固定リブ３２に対し掛かる位置に到達し姿勢を変えて内蓋ユニット４０が蓋３０に固定されるようになっている。
【００１９】
上記の構成の炊飯器にて、内蓋ユニット４０を蓋３０に取付ける動作を説明する。
【００２０】
まず、蓋３０を開放した姿勢（直立状態）にて、内蓋ユニット４０の横軸４４を取付け溝３１に上方より収める。この時、使用者は内蓋ユニット４０を上から下ろすのみの簡単な動作で蓋３０に対して位置決めが安定してできる上に、内蓋ユニット４０の重さが蓋３０に支えられているため、以降の動作が楽にできる。また、製品後方にて直立している蓋３０に対して、前方からではなく上方より内蓋ユニット４０を近づけることができるため、本体１０や鍋２０が邪魔になりにくく、使いやすい。
【００２１】
次に、内蓋ユニット４０を図２の矢印方向に回動させ、固定リブ３２と係止つまみ４５を係合させることにより、内蓋ユニット４０が蓋３０に取付けられる。内蓋ユニット４０の回動は横軸４４と取付け溝３１との関係でスムーズに行える。すなわち、使用者は内蓋ユニット４０の重さを意識して支えることなく、下方へ押すという自然な動作のみで蓋３０に取付けることができる。この時、内蓋ユニット４０の固定は蓋３０の軸支部近傍にて行えるため、内蓋ユニット４０を蓋３０へ押し付ける動作を行っても、製品が後方へ傾いたり、蓋が不安定に動いたりすることはない。
【００２２】
以上のように、本実施の形態の炊飯器によれば、使用者は内蓋ユニット４０を自然な動作のみで蓋３０に容易にセットできて、非常に便利である。
【００２３】
（実施の形態２）
図４は、本発明の実施の形態２における炊飯器の要部を示している。実施の形態１と同一要素については同一符号を付してその説明を省略する。
【００２４】
本実施の形態における炊飯器は、内蓋ユニット４０および蓋３０の係合部５０は、蓋３０の上部に設けた突起部３４と、内蓋ユニット４０に設け突起部３４に係合する穴部４８とから構成した。なお、穴部４８は、完全な開口穴である必要はなく、突起部３４に係合できるものであれば特に限定されるものではない。また、突起部３４と穴部４８の位置関係、すなわち内蓋ユニット４０と蓋３０のいずれに設けるかは逆であっても差し支えない。他は実施の形態１と同じである。
【００２５】
上記の構成の炊飯器にて、内蓋ユニット４０を蓋３０に取付ける動作を説明する。
【００２６】
まず、蓋３０の上方より内蓋ユニット４０の穴部４８へ突起部３４を通す。この時、使用者は突起部３４のみを狙えばよく、また、穴部４８へ突起部３４が通ったことも容易に確認できる。後の動作は実施の形態１と同じである。
【００２７】
以上のように、本実施の形態によれば、使用者は内蓋ユニット４０を取付けする時に１個所のみを狙えばよく、穴部４８により、その嵌合状態も容易に確認でき、さらに便利である。
【産業上の利用可能性】
【００２８】
以上のように、本発明にかかる炊飯器は、内蓋ユニットを簡単に蓋に取付けができるものであるので、家庭用または業務用の炊飯器として有用である。
【図面の簡単な説明】
【００２９】
【図１】本発明の実施の形態１における炊飯器の蓋解放時の斜視図
【図２】同炊飯器の要部の拡大斜視図
【図３】同炊飯器における内蓋ユニットの係止部の断面図
【図４】本発明の実施の形態２における炊飯器の部分斜視図
【符号の説明】
【００３０】
１０  本体
２０  鍋
３０  蓋
３１  取付け溝
４０  内蓋ユニット
４４  横軸
５０  係合部
５１  係止部
【図１】
2008012089.tif 000003
【図２】
2008012089.tif 000004
【図３】
2008012089.tif 000005
【図４】
2008012089.tif 000006